(57)【要約】      （修正有）【課題】  パネル状の展示物を展示する展示台等に関し、組立てや折り畳みの手間及び時間を短縮し、簡単に小さく折り畳める構造を提供する。【解決手段】  基台１と、該基台に回動自在に連結され、所要の支持角度で安定した起立状態を維持しうる載置フレーム２と、該載置フレームに対してスライド自在に連結され展示台の実質的な高さを変更しうる複数の伸縮フレーム３と、載置フレームに取付けられる展示物載置台２４とからなり、伸縮フレームは、載置フレーム若しくは伸縮フレームに、相互にスライド自在に連結され、全ての伸縮フレームを最下段の載置フレーム内に収納した形態から、全てのフレームを順次伸張させた最長長さの形態までの間において、任意の長さ形態を採ることが可能に構成され、最上段の伸縮フレームの上端に展示物保持手段３６，３７が取付けられている。【選択図】  図１
2005342269.tif 000002
【特許請求の範囲】
【請求項１】
基台と、該基台に回動自在に連結され、所要の支持角度で安定した起立状態を維持しうる載置フレームと、該載置フレームに対してスライド自在に連結され展示台の実質的な高さを変更しうる複数の伸縮フレームと、並びに展示物を載置しうる状態で載置フレームに取付けられる展示物載置台とからなり、伸縮フレームは、載置フレーム若しくは伸縮フレームに、相互にスライド自在に連結され、全ての伸縮フレームを最下段の載置フレーム内に収納した形態から、全てのフレームを順次伸張させた最長長さの形態までの間において、任意の長さ形態を採ることが可能に構成され、最上段の伸縮フレームの上端に展示物保持手段が取付けられていることを特徴とする平面展示台。
【請求項２】
載置フレーム及び伸縮フレームは、最小のサイズに格納した状態で基台と同じ平面上に折り畳むことが出来、全体の厚みを基台とほぼ同じ厚みの小さな形態に、収納、運搬を可能としたことを特徴とする請求項１記載の平面展示台。
【請求項３】
載置フレームの下端部を、基台に回動自在に軸支し、基台の底面側に回動させて基台の内側に折り畳みうるようにすると共に、表側に回動して起立させたとき、基台に掛止して起立状態を安定に保持することが出来るようにしたことを特徴とする請求項１又は２記載の平面展示台。
【請求項４】
伸縮フレームは、少なくとも２個のフレームを相互にスライド自在に連結し、長さを伸縮自在としたことを特徴とする請求項１乃至３のいずれかに記載の平面展示台。
【請求項５】
複数のフレーム間に所望の抵抗を作用させて、相互のスライドを抑制するようにしたことを特徴とする請求項１乃至４のいずれかに記載の平面展示台。
【請求項６】
展示物載置台は、折り畳んだ位置から所定の載置位置へ簡単に移行させることが出来ると共に、載置状態を安定に維持することが出来るように構成したことを特徴とする請求項１記載の平面展示台。
【請求項７】
載置フレームに、高さを異ならせた複数の載置台取付部を設けて、載置位置の高さの変更を可能とし、展示物の載置位置を低く設定して、テーブル等の高さを有する平面上に卓上用として展示したり、或いは載置台を高い位置に設定して、床置きの状態で展示可能としたことを特徴とする請求項１記載の平面展示台。
【請求項８】
展示物固定片を、スライド可能な最上位の伸縮フレームの先端に設け、展示物を支持する支柱が展示物の上部に露出しないようにしたことを特徴とする請求項１記載の平面物展示台。
【請求項９】
伸縮フレームを三段に伸縮するフレームで構成し、全長伸長率を更に大きくしたことを特徴とする請求項１記載の平面物展示台。
【請求項１０】
載置フレームに高さを異ならせた複数の凹溝を形成し、載置台を該凹溝に係入して載置台を所望の高さ位置に設置可能としたことを特徴とする請求項７記載の平面物展示台。
【請求項１１】
伸縮フレームの摺動部に、ゴム、ウレタンフォームなどの弾力若しくはバネなどで摩擦力を作用させて、スライドへの抵抗としたことを特徴とする請求項５記載の平面展示台。
【請求項１２】
伸縮フレーム相互を、ネジや締結金具などで着脱自在な固定手段で固定し、伸張状態を安定に維持するようにしたことを特徴とする請求項１記載の辺面展示台。
【発明の詳細な説明】
【技術分野】
【０００１】
本発明は、キャンバスや絵画をはじめとする平板なパネル状のもの或いは書籍、メニュー、楽譜など製本された物品を見開き状態で展示する平面物展示台に関する。
【背景技術】
【０００２】
従来公知の平面物展示台、例えばイーゼルとして知られている展示台は、３本の角棒状の支柱を上部で連結して三又状に構成、正面に位置する２本の支柱に物品を載置支持する載置台を架け渡して取付け、２本の支柱の間に上部保持片を上端に設けたスライドフレームを上下動自在に配置し、さまざまなサイズの展示物、特に縦方向のサイズに対応させて、スライドフレームを上下動させて上部保持片で展示物の上部を保持する構造になっているものが多い。かかる従来公知の展示台にあっては、展示物のサイズ、特に縦方向のサイズが大きい場合、スライドフレームを支柱の上端から上方にスライドさせて、展示物の上端を保持するため、支柱は展示物で覆われ外部に露出することはないが、比較的小さなサイズの展示物を展示した場合、支柱が展示物の上部から見えてしまい、邪魔になり美観的にも問題があった。
【０００３】
特開平２００４−８１７４１号公報には、展示物を指示する架台を支柱に沿ってスライド自在にし、展示物のサイズに合わせて伸縮させる構造が開示されているが、支柱の長さを短く縮小できる構造ではないと共に、収納、運搬に際して支柱及び架台を基台から分離して分解し、使用に際して組み立てを要するため作業が面倒であった、又、ある程度の高さを求められる床置用と、高さを必要としない卓上用の両方に対応できるものはなかった。
【０００４】
又、実公平６−１４５９１号公報には、後側の支柱を前側の支柱に回動自在に取付けて、全体を平板状に折り畳可能とした構造が開示されているが、支柱を伸縮して全体の長さを縮小できるものはなかった。特開２００１−３２７３５０号公報に開示されるように、従来の平面物展示台は、組み立て式の構造が一般的であるが、組み立てや収納に手間がかかり、分離した部品を紛失する可能性があり、再度組み立て不能になるおそれがあった。
【特許文献１】特開２００４−８１７４１号公報
【特許文献２】実公平０６−１４５９１号公報
【特許文献３】特開２００１−３２７３５０号公報
【発明の開示】
【発明が解決しようとする課題】
【０００５】
この発明は、キャンバスや絵画をはじめとする平板なパネル状の展示物、或いは書籍、メニュー、楽譜など製本された見開きの展示物を垂直方向に展示する展示台及びそれに類するイーゼルなどにおいて、組み立てや折り畳みの手間及び時間を短縮し、部品や金具類の紛失を防ぎ、収納及び搬送などの際に短時間で簡単に小さく折り畳めて、再度組み立てる際も部品などを紛失せずに簡単に組み立てることが出来る構造を提供することを目的とする。
【０００６】
又、支柱を伸縮自在な構造とし、展示物の外に支柱が露出せず、しかも展示物の広範囲なサイズに対応する構造を提供することを目的とする。
【課題を解決するための手段】
【０００７】
基台と、該基台に回動自在に連結され、所要の支持角度で安定した起立状態を維持しうる載置フレームと、該載置フレームに対してスライド自在に連結され展示台の実質的な高さを変更しうる複数の伸縮フレームと、並びに展示物を載置しうる状態で載置フレームに取付けられる展示物載置台とからなり、伸縮フレームは、載置フレーム若しくは伸縮フレームに、相互にスライド自在に連結され、全ての伸縮フレームを最下段の載置フレーム内に収納した形態から、全てのフレームを順次伸張させた最長長さの形態までの間において、任意の長さ形態を採ることが可能に構成され、最上段の伸縮フレームの上端に展示物保持手段が取付けられていることを特徴とする。展示物固定片を、スライド可能な最上位の伸縮フレームの先端に設け、展示物を支持する支柱が展示物の上部に露出しないようにしたことを特徴とする。
【０００８】
載置フレーム及び伸縮フレームは、最小のサイズに格納した状態で基台と同じ平面上に折り畳むことが出来、全体の厚みを基台とほぼ同じ厚みの小さな形態に、収納、運搬を可能としたことを特徴とし、好ましくは載置フレームの下端部を、基台に回動自在に軸支し、基台の底面側に回動させて基台の内側に折り畳みうるようにすると共に、表側に回動して起立させたとき、基台に掛止して起立状態を安定に保持することが出来るようにしたことを特徴とする。
【０００９】
伸縮フレームは、少なくとも２個のフレームを相互にスライド自在に連結し、全体の長さを伸縮自在としたことを特徴とし、更に、伸縮フレームを三段に伸縮するフレームで構成し、全長伸長率を更に大きくしたことを特徴とする。スライドする複数のフレーム間に所望の抵抗を作用させて、相互のスライドを抑制し、抵抗手段としてゴム、ウレタンフォームなどの弾力若しくはバネなどで摩擦力を作用させたことを特徴とする。又、伸縮フレーム相互を、ネジや締結金具などで着脱自在な固定手段で固定し、伸張状態を安定に維持するようにしたことを特徴とする。
【００１０】
展示物載置台は、折り畳んだ位置から所定の載置位置へ簡単に移行させることが出来ると共に、載置状態を安定に維持することが出来るように構成したことを特徴とし、伸縮フレームと基台との間に位置する載置フレームに、高さを異ならせた複数の載置台取付部を設けて、載置位置の高さの変更を可能とし、展示物の載置位置を低く設定して、テーブル等の高さを有する平面上に卓上用として展示したり、或いは載置台を高い位置に設定して、床置きの状態で展示可能としたことを特徴とする。載置フレームに高さを異ならせた複数の凹溝を形成し、載置台を該凹溝に係入して載置台を所望の高さ位置に設置可能としたことを特徴とする。
【発明の効果】
【００１１】
この発明の平面展示台によれば、展示物を載置支持する載置台を取付けた展示用支柱を相互にスライド自在な複数のフレームで構成し、上段のフレームを下段のフレーム内に順次格納できるようにすると共に、展示用支柱の最下段を基台部に回転自在に枢支して、基台部と展示用支柱を平板状に折り畳んで格納可能としてあるので、収納及び搬送などのときには、全体を小さな形態に折り畳んで収納サイズを小さくすることが出来ると共に、使用状態への組み立てに際しても展示用支柱を回動させて起立させるのみで良く、部品などを紛失することなく簡単に短時間で、使用状態にすることが出来る。
【００１２】
展示用支柱の最上段のフレームの上端に展示物固定部を取付けてあり、最下段のフレームの高さに展示物の最小縦方向サイズが規定され、複数のフレームをスライドさせて最も長く伸張させた長さが展示物の縦方向の最大高さを規定するため、広範囲なサイズの展示物に対応できる。又、比較的小さな展示物を展示するときも支柱が展示物の上部に見えないので、邪魔にならないで美観的にも効果がある。
【００１３】
展示物を確実に固定できるため、展示用のみならず絵画の描画作業用の絵画用イーゼルなどにも供応できる。又、展示物載置台を展示用支柱の複数の高さ位置に移動して設置することを可能としてあるので、展示高さすなわち展示物の地上高を調節して、設置場所を選ばず床置用と卓上用の両用に使用できる。
【発明を実施するための最良の形態】
【００１４】
以下のこの発明の好ましい実施の形態を図面を参照しつつ詳細に説明する。この発明の平面展示台は、キャンバスや絵画をはじめとする平板なパネル状のもの或いは書籍、メニュー、楽譜など製本された見開きの展示物などの種々の底面形態を有する展示物を展示するに適しており、その横幅、及び高さは特に限定されない。
【００１５】
平面展示台は、基台と、該基台に回動自在に連結され、所要の支持角度で安定した起立状態を維持しうる載置フレームと、該載置フレームに対してスライド自在に連結され展示台の実質的な高さを変更しうる伸縮フレーム、並びに展示物を載置しうる状態で載置フレームに取付けられる展示物載置台とからなる。伸縮フレームは、載置フレーム若しくは伸縮フレームに、相互にスライド自在に連結され、全ての伸縮フレームを最下段の載置フレーム内に収納した形態から、全てのフレームを順次伸張させた最長長さの形態までの間において、任意の長さ形態を採ることが可能なように構成される。従って、この発明の展示台は、最下段の載置フレームに一致する最小サイズから、全ての伸縮フレームを順次スライドして伸張した最大サイズまでの広範囲内において、載置する展示物の縦方向高さに対応することが出来る。
【００１６】
展示用支柱は、最小のサイズに格納した状態で基台と同じ平面上に折り畳むことが出来、全体の厚みをほぼ基台と同じ厚みの小さな形態にして、収納し、運搬することが可能である。しかも、かかる折り畳んで形態若しくは使用するための起立させた状態への移行に際して、部品の取外しを必要としないものである。載置フレームの下端部は、前記基台に回動自在に軸支されており、好ましくは基台の底面側に回動させて基台の内側に折り畳みうるようにされていると共に、表側に回動して起立させたとき、基台に掛止して起立状態を安定に保持することが出来るようになっている。伸縮フレームは、少なくとも２個或いは３個以上のフレームを相互にスライド自在に連結し、長さを伸縮自在としてある。複数のフレーム間の相互のスライドは、好ましくはフレーム相互のスライド部分に摩擦力、弾力等の所望の力を作用させた抵抗手段を付与して、急激な滑動を抑制する。
【００１７】
載置台は、折り畳んだ位置から所定の載置位置へ簡単に移行させることが出来ると共に、載置状態を安定に維持することが出来るように構成されている。更に、好ましくは載置フレームに、高さを異ならせた複数の載置台取付部を設けて、載置位置の高さの変更を可能とする。これにより、展示物の載置位置を低く設定して、テーブル等の高さを有する平面上に卓上用として展示したり、或いは載置台を高い位置に設定して、床置きの状態で展示可能とする。
【００１８】
平面物展示台を構成するフレームの構造材は、主として木材を使用するの好ましいが、低発泡の合成樹脂材料或いは集積材などであっても良く、合成木材、擬似木材、合成樹脂或いは金属等の角棒或いは角パイプ等の材料で構成する。しかしながら、これに限られるものではなく、板材或いは板と柱を組み合わせた構造としても良い。
【実施例１】
【００１９】
図１〜８を参照して、本発明の平面物展示台は、基台１〔図３〕、載置フレーム２〔図４〕、伸縮フレーム３〔図５〕並びに載置台２４の４部品で構成する。基台１は間隔を置いて平行に配置される一対の脚台１１と該２本の脚台１１に架け渡される２本の横桟１２からなり、横桟１２の両端を釘や接着剤などで井桁状に連結して構成される。更に基台１には、載置フレーム２をやや後方に傾斜させて展示物の展示に適する角度に固定させるストッパー１３が設置されている。脚台１１の下部すなはち接地面には脚となる突起１１ｂを設けてもよい。一対の脚台１１の内側には軸受け穴１１ａが設けられている〔図３〕。尚、軸受け穴１１ａは図示の如く脚台１１を貫通しない状態に形成するのみではなく、脚台１１を貫通するように形成しても良い。
【００２０】
載置フレーム２は間隔を置いて平行に配置される一対の支柱２１、該支柱２１と平行な一対の案内支柱２２、横桟２３並びに載置台２４からなり、横桟２３及び載置台２４を支柱２１及び案内支柱２２に架け渡して、釘や接着剤などで井桁状に結合して一体に構成する〔図４〕。
【００２１】
一対の支柱２１には前記脚台１１の軸受け穴１１ａに軸支される枢軸２５が設けられている。脚台１１の軸受け穴１１ａと枢軸２５との軸支により、基台１と載置フレーム２を回動自在に枢着させて、図７に示すように載置フレーム２を基台１の下面に回動させて、収納及び搬送などのために基台１の内側に平行に収納できる構造とする。そのために基台１の横桟１２は、脚台１１の上方に設置すると良い。実施例では、枢軸２５は雄ネジ２５ａと鬼目ナット２５ｂで構成されている。
【００２２】
載置台２４には、連結片２６が回動機構２６ｂによって回動自在に設置されている。連結片２６の先端には、図２，３に示すように脚台１１に架け渡されたストッパー１３に掛止させるために、Ｌ字状の掛止部２６ａを設ける。使用時には載置フレーム２を回動させて、垂直より少し後方に倒した角度で支柱２１をストッパー１３に当接して停止させ、ストッパー１３に連結片２６のＬ字状掛止部２６ａを掛止させて、基台１と載置フレーム２とを安定的に固定させる。これによって展示物７は、適切な展示角度を得ることが出来る。尚、連結片２６の回動機構２６ｂは市販の蝶番でも良い。連結片２６の回動は自重で動作させるが、より確実に保持させるためにスプリングなどを掛止方向に付勢するのが好ましい。
【００２３】
載置台２４の先端には、展示物７の滑動、滑落を防ぐためと、展示物７が書籍、メニュー、楽譜など製本された見開きの展示物を見開き状態で展示するための、Ｌ字状の凸部２４ａが設けてある。
【００２４】
展示物７の展示角度を調節するために、ストッパー１３を前後移動可能な構造〔図８（ａ）（ｂ）〕とするか又はストッパー１３に回動軸１３ａを設け回動自在な構造〔図８（ｃ）（ｄ）〕として、載置フレーム２との突き当て位置を変化させても良い。この場合ストッパー１３が使用時に容易に移動又は回動しないようなロック機構が必要である。或いは脚台１１の内側の軸受け穴１１ａをコの字形１１ｃまたはヨの字形にしても良い〔図９（ａ）〕。この場合縦方向支柱２１の枢軸２５が外れにくくするために、軸受け穴１１ｃをＨ形１１ｄとしても良い〔図９（ｂ）〕。
【００２５】
伸縮フレーム３は、可動支持台３１と先端支持台３２を、先端支持台に設けた長穴３４に連結ピン３３によって可動支持台３１を上下にスライド自在に連結した構造からなる。〔図５〕。前記一対の案内支柱２２の内側には、伸縮フレーム３をスライドさせるための案内溝２２ａが形成され、伸縮フレーム３は案内支柱２２の溝２２ａに案内されて上下方向にスライド自在であり、全長を伸縮できる。伸縮フレーム３は収納及び搬送などで折り畳む際には案内支柱２２の内側に格納される長さとする。
【００２６】
可動支持台３１の下端に隆起３１ａを設け、上方へスライドする際に載置フレーム２の横桟２３に当接させて載置フレーム２からの抜脱を防ぎ、そのスライド範囲を規制する。先端支持台３２の上部には、展示物固定片３６を受ける受け台３５が設けてある。受け台３５には展示物固定片３６を固定するためのネジ３５ａが設けてある。展示物固定片３６の中央に長穴を設け、展示物７の厚みに合わせて、蝶ネジ３７で緩めて展示物固定片３６を前後に移動自在としてある。
【００２７】
可動支持台３１及び先端支持台３２は、展示物７の無いときは自重で自然落下する構造とするのが好ましいが、急激な下降による危険を防止するために、摺動部にゴム、ウレタンフォームなどの弾性材或いはバネなどで摩擦力を持たせるか、ネジや締結金具などで固定させても良い。
【００２８】
脚台１１が所定の機能を満足させて、載置フレーム２を基台１の内側に回動して平行に格納できる構造であれば基台１は井桁状でなくて板状に組み立てても良い。載置フレーム２は伸縮フレーム３を内側に縮小して格納できる構造であれば井桁状でなくて板状或いは柱と板を組み合わせた形状などでも良い。又、伸縮フレーム３は、展示物のサイズに合わせて伸縮でき先端で展示物を掛支すると同時に、縮小して載置フレーム２の内側に格納できる構造であれば、柱状でも板状或いは柱と板を組み合わせた形状などでも良い。
【００２９】
本発明の平面物示台を使用する場合、先ず基台１の内側に格納されている載置フレーム２を基台１の上面側に回動させ、支柱２１をストッパー１３に当接し、連結片２６のＬ字状掛止部２６ａをストッパー１３に掛止させることによって基台１と載置フレーム２を所定の傾斜した角度で安定に保持させる。次に載置台２４に展示物７を載置し、展示物固定片３５が展示物７の縦寸法の上部に位置するように、可動支持台３１と先端支持台３２をスライドさせて伸長し、展示物固定片３６を展示物７の上縁に当接して、蝶ネジ３７を締着して固定片３６を受け台３５に固定する。逆に、収納及び搬送などのために折り畳むときは、蝶ネジ３７を緩めて先ず展示物を離脱し、先端支持台３２，可動支持台３１を順次スライドして縮小し、載置フレーム２内に格納する。次に、連結片２６を外して載置フレーム２を基台１の下側に回動して、基台１の内側に平行に格納し、平坦でコンパクトな格納形態にする。
【実施例２】
【００３０】
図９〜１７を参照して、この発明の実施例２を説明する。この実施例２にかかる平面物展示台は、基台１と摺動フレーム６との間に配置される載置フレーム５に、摺動フレーム６を上方の摺動自在としてあるので、実施例１に比して伸縮段数が一段増え、全高の伸縮率を更に大きくすることが出来、実施例１よりも更に大きなサイズの展示物を展示することが出来る。従って、設置場所を選ばず床置用と卓上用の両用に使用できる。
【００３１】
以下図面に基づいて説明する。基台１及び伸縮フレーム３は実施例１と実質的に同一のものである。脚台１１の底部には、接地調整機構１４を設置し、接地面の凹凸を吸収する構造が好ましい。接地調整機構１４は、市販のアジャスターボルト或いはそれに類するものでも良い。
【００３２】
載置フレーム５は間隔を置いて平行に配置される一対の縦方向支柱５１と該縦方向支柱５１に架け渡される上部横桟５２及び下部横桟５３の両端を、釘や接着剤などで固着して井桁状に構成する〔図１２〕。
【００３３】
摺動フレーム６は前記載置フレーム５の縦方向支柱５１の内側に当接する間隔を置いて、平行に配置された一対の摺動支柱６１及び一対の案内支柱２２を横桟２３及び載置台用桟６３を釘や接着剤などで井桁状に結合して一体的な構成とする〔図１３〕。案内支柱２２及び横桟２３は実施例１と実質的に同一のものである。
【００３４】
前記載置フレーム５の下部横桟５３には、Ｌ字状掛止部を備えた連結片２６が回動自在に設置されている。縦方向支柱５１の内側には摺動支柱６１を摺接してスライド移動させるための溝５１ａを設け、又、摺動支柱６１には縦方向支柱５１と摺動するレール６１ａが設置されている。レール溝５１ａとレール６１ａは、摺動案内の機能があれば、角溝でも三角形のアリ溝或いはＲ溝など、どのような形状でも良い。又、凸凹逆でも良い。
【００３５】
載置フレーム５の縦方向支柱５１には載置フレーム５を基台部１に枢着せるための枢軸２５が固定されている。載置フレーム５を枢軸２５によって基台１と回動自在に枢着し、載置フレーム５を手前に回動させて基台１の内側に平行に収納して折り畳むことにより、平坦でコンパクトな形態となり、収納、運搬が容易となる。この機構は実施例１と同一である。
【００３６】
下部横桟５３には、実施例１と同構造の連結片２６が回動自在に設置されている。使用時には載置フレーム２を回動させて、垂直より少し後方に倒した角度で当接停止するような位置に設置したストッパー１３に当接させて連結片２６をストッパー１３に掛止させることによって基台１と載置フレーム５とを安定的に固定させる。これによって展示物７は適切な展示角度を得ることが出来る。連結片２６の回動は自重で動作させても良いが、より確実に保持させるためにスプリングなどの弾発力を利用しても良く、その具体的な構造は実施例１に関して述べた機構を採用することが可能である。
【００３７】
一対の縦方向支柱５１の前側には、摺動フレーム６の上下位置すなわち展示物７の地上高を設定するために複数組の凹溝５１ｂが設けてある。展示物載置台６２を載置台用桟６３に回動機構６２ａによって回動自在に設置する。載置台６２は、所要の回動機構６２ａによって、使用時には載置フレーム５に対して直角となり、この直角の位置から下方への回動が阻止され、上方向のみの回動が許容されている。回動機構６２ａは市販の蝶番などでも良い。平常使用時には縦方向支柱５１の凹溝５１ｂに載置台６２を回動して挿入し展示高さが固定される。載置台６２を上方向に回動させると凹溝５１ｂから外れて上下に移動自在となり、他の凹溝５１ｂに挿入することにより展示高さ（地上高）を調節できる〔図１４〕。使用中に載置台６２が回動しないように、好ましくは載置台６２の下部に載置台用桟６３と固定するロック機構６４を設ける。ロック機構６４は市販のファスナーなどでも良い。このように展示高さ（地上高）が可変できるため床置き用や卓上用などあらゆる設置場所に対応できる。
【００３８】
載置台６２の先端には、展示物７の滑動、滑落を防ぐためと、展示物７が書籍、メニュー、楽譜など製本された見開きの展示物を見開き状態で展示するために、Ｌ字状凸部６２ｂが設けてある。
【００３９】
摺動支柱６１の下部にネジ６５ａで固着される当接桟６５と、上部に固着される横桟との間で伸縮フレーム３のスライド範囲が規定されると共に、摺動フレーム６からの抜脱が防止される。
【００４０】
実施例１と同様に、載置フレーム５は基台１の下部に回動して基台１に平行に格納でき、又、載置フレーム５の内側には摺動フレーム６を摺動して格納できる構造であれば、載置フレームは井桁状でなくて板状或いは柱と板を組み合わせた形状などで形成しても良い。又、摺動フレーム６は伸縮フレーム３を摺動して格納できる構造であれば井桁状でなくて板状或いは柱と板を組み合わせた形状などであっても良い。
【実施例３】
【００４１】
実施例３は、実施例１及び実施例２の２段に伸縮する伸縮フレーム３に代えて三段に伸縮する伸縮フレーム４に置き換えたものであり、更に全長縮小率を大きくすることが出来る。三段伸縮フレーム４は長穴３４を設けた中間支持台４１と、可動支持台３１及び先端支持台３２を２個の連結ピン３３で連結して三段の伸縮自在な機構とした。この場合可動支持台３１の下端に隆起３１ａは設けず、中間支持台４１の下端に抜脱を防ぐ隆起４１ａを設ける。摺動部にゴム、ウレタンフォームなどの弾性材或いはバネなどで摩擦力を持たせるか、ネジや締結金具などで固定させても良い。伸縮フレーム３を三段伸縮フレーム４に置き換える以外は実施例１或いは実施例２と同一構造である。
【図面の簡単な説明】
【００４２】
【図１】本考案の実施例１の使用状態を示す全体斜視図である。
【図２】実施例１の使用状態を示す側面図である。
【図３】実施例１の基台１の斜視図である。
【図４】実施例１の載置フレームの斜視図である。
【図５】実施例１の伸縮フレームの斜視図である。
【図６】実施例１の折り畳み収納時の状態を示す正面図である。
【図７】実施例１の折り畳み収納時の状態を示す側面図である。
【図８】実施例１の展示角度調整機構の１例を説明する部分詳細図である。
【図９】実施例１の展示角度調整機構の他の例を説明する部分詳細図である。
【図１０】本考案の実施例２の使用状態を示す全体斜視図である。
【図１１】実施例２の使用状態を示す側面図である。
【図１２】実施例２の載置フレームの斜視図である。
【図１３】実施例２の摺動フレームの斜視図である。
【図１４】実施例２の載置台の回動状態を示す部分詳細図である。
【図１５】実施例２の折り畳み収納時の状態を示す平面図である。
【図１６】実施例２の折り畳み収納時の状態を示す側面図である。
【図１７】実施例３の三段伸縮フレームの斜視図である。
【符号の説明】
【００４３】
１      基台
２      載置フレーム
３      伸縮フレーム
４      三段伸縮フレーム
５      載置フレーム
６      摺動フレーム
７      展示物
１１    脚台
１１ａ、１１ｃ，１１ｄ  軸受け穴
１１ｂ  突起
１２    横桟
１３    ストッパー
１３ａ  回動軸
１４    接地調整機構
２１    支柱
２２    案内支柱
２２ａ  案内溝
２３    横桟
２４    載置台
２４ａ  Ｌ字状凸部
２５    枢軸
２５ａ  雄ネジ
２５ｂ  鬼目ネジ
２６    連結片
２６ａ  Ｌ字状掛止部
２６ｂ  回動機構
３１    可動支持台
３２    先端支持台
３３    連結ピン
３４    長穴
３５    受け台
３５ａ  ネジ
３６    展示物固定片
３７    蝶ネジ
４１    中間支持台
４１ａ  隆起
５１    縦方向支柱
５１ａ  溝
５１ｂ  凹溝
５２    上部横桟
５３    下部横桟
６１    摺動支柱
６１ａ  レール
６２    回動載置台
６２ａ  Ｌ字状凸部
６３    載置台用桟
６４    ロック機構
６５    当接桟
６５ａ  ネジ
【図１】
2005342269.tif 000003
【図２】
2005342269.tif 000004
【図３】
2005342269.tif 000005
【図４】
2005342269.tif 000006
【図５】
2005342269.tif 000007
【図６】
2005342269.tif 000008
【図７】
2005342269.tif 000009
【図８】
2005342269.tif 000010
【図９】
2005342269.tif 000011
【図１０】
2005342269.tif 000012
【図１１】
2005342269.tif 000013
【図１２】
2005342269.tif 000014
【図１３】
2005342269.tif 000015
【図１４】
2005342269.tif 000016
【図１５】
2005342269.tif 000017
【図１６】
2005342269.tif 000018
【図１７】
2005342269.tif 000019